(57)【要約】【課題】  スリップリングとブラシとの摩擦によって生じる磨耗粉の影響を低減することができるＸ線ＣＴ装置を提供する。【解決手段】  Ｘ線を照射するＸ線発生部１１と、Ｘ線を検出するＸ線検出部１２と、Ｘ線検出部１２からのＸ線投影データに基づいて画像データを生成する画像データ生成部３と、Ｘ線発生部１１に給電する環状のスリップリング部１５と、スリップリング部１５、Ｘ線発生部１１、及びＸ線検出部１２を回転可能に保持する回転部フレーム１６と、スリップリング部１５と接触するブラシ部２１ａ，２１ｂを保持するブラシホルダ２２ａ，２２ｂとを備え、ブラシホルダ２２ａ，２２ｂをスリップリング部１５の下端部から回転部フレーム１６の回転方向とは反対方向へ９０°の回転角の第１の範囲及び前記下端部から前記回転方向へ１３５°未満の回転角の第２の範囲以外の位置に配置する。【選択図】  図１
2007222293.tif 000002
【特許請求の範囲】
【請求項１】
被検体に対してＸ線を照射するＸ線発生手段と、
前記被検体を透過したＸ線を検出するＸ線検出手段と、
前記Ｘ線検出手段からのＸ線投影データに基づいて画像データを生成する画像データ生成手段と、
前記Ｘ線発生部への電力の伝送及び／又は前記Ｘ線検出手段から前記画像データ生成手段への前記Ｘ線投影データの伝送を行うための環状のスリップリングと、
前記Ｘ線発生手段、及び前記Ｘ線検出手段を回転可能に保持する回転部フレームと、
前記回転フレームに保持された前記スリップリングの下端部から前記回転部フレームの回転方向とは反対方向へ９０°の回転角の第１の範囲及び前記下端部から前記回転方向へ１３５°未満の回転角の第２の範囲以外の２つ以上の位置に配置した前記スリップリングと接触するブラシと、
前記回転部フレームを保持する固定部とを
備えたことを特徴とするＸ線ＣＴ装置。
【請求項２】
被検体に対してＸ線を照射するＸ線発生手段と、
前記被検体を透過したＸ線を検出するＸ線検出手段と、
前記Ｘ線検出手段からのＸ線投影データに基づいて画像データを生成する画像データ生成手段と、
前記Ｘ線発生手段への電力の伝送及び／又は前記Ｘ検出手段から前記画像データ生成手段への前記Ｘ線投影データの伝送を行うための環状のスリップリングと、
前記Ｘ線発生手段、及び前記Ｘ線検出手段を回転可能に保持する回転部フレームと、
前記回転部フレームに保持された前記スリップリングの下端部から前記回転部フレームの回転方向へ１３５°未満の回転角の範囲以外の２つ以上の位置に配置した前記スリップリングと接触するブラシと、
前記回転部フレームを保持する固定部とを
備えたことを特徴とするＸ線ＣＴ装置。
【請求項３】
被検体に対してＸ線を照射するＸ線発生手段と、
前記被検体を透過したＸ線を検出するＸ線検出手段と、
前記Ｘ線検出手段からのＸ線投影データに基づいて画像データを生成する画像データ生成手段と、
前記Ｘ線発生部への電力の伝送及び／又は前記Ｘ線検出手段から前記画像データ生成手段への前記Ｘ線投影データの伝送を行うための環状のスリップリングと、
前記Ｘ線発生手段、及び前記Ｘ線検出手段を回転可能に保持する回転部フレームと、
前記回転フレームに保持された前記スリップリングの下半分の範囲以外の２つ以上の位置に配置した前記スリップリングと接触するブラシと、
前記回転部フレームを保持する固定部とを
備えたことを特徴とするＸ線ＣＴ装置。
【発明の詳細な説明】
【技術分野】
【０００１】
本発明は、回転部と固定部との間で給電及び／又はデータの伝送を行うために用いるスリップリングを備えたＸ線ＣＴ装置に関する。
【背景技術】
【０００２】
Ｘ線ＣＴ装置は、被検体の体軸を中心として回転してＸ線撮影を行う回転部及びこの回転部を保持する固定部とを有する架台部と、架台部から出力されたＸ線投影データを再構成して画像データを生成する画像データ生成部とを備えている。
【０００３】
架台部の回転部は、被検体にＸ線を照射するＸ線発生部と、被検体を透過したＸ線を検出するＸ線検出部と、Ｘ線検出部から出力されるＸ線投影データを収集するデータ収集部と、Ｘ線発生部への給電を行うスリップリング部とを備えている。
【０００４】
スリップリング部には、例えば３相交流電源からの給電を受ける場合、３相交流電源の各相及び電源グランドの４チャンネルに対応したスリップリングが夫々離間して平行に配置される。
【０００５】
架台部の固定部は、スリップリングを介してＸ線発生部に給電するための４チャンネルのスリップリングに対応した各ブラシと、各ブラシを保持するブラシホルダとを備えている。
【０００６】
このスリップリングとブラシとの摩擦により磨耗粉が生じる。そして、その磨耗粉が各チャンネル間の絶縁抵抗を低下させて、各スリップリングや各ブラシ間に大電流が流れてＸ線ＣＴ装置を破損させる恐れがある。このため、各スリップリング間にこのスリップリングの周方向に沿面距離を十分に確保するための突起を設けたＸ線ＣＴ装置が提案されている（例えば、特許文献１参照。）。
【０００７】
しかしながら、最近のヘリカルスキャン方式のＸ線ＣＴ装置では、回転部を高速で連続回転させて撮影が行われるので、スリップリングとブラシとの摩擦により多くの磨耗粉が生じてスリップリング部のカバー底部の内側に堆積し、その堆積した磨耗粉に接触することにより各スリップリング間の絶縁抵抗が低下する恐れがある。このため、スリップリング部、ブラシ、及びブラシホルダや、カバーなどの清掃が定期的に行われている。
【特許文献１】特開平６−２３３７５８号公報
【発明の開示】
【発明が解決しようとする課題】
【０００８】
しかしながら、従来のＸ線ＣＴ装置では、定期的に行われる清掃作業に多大なる時間と手間がかかる問題がある。
【０００９】
また、定期的に清掃を行った場合でも、各チャンネル間のスリップリング及びブラシの絶縁抵抗が低下し、撮影中にスリップリング、ブラシ、ブラシホルダなどの各チャンネル間に大電流が流れて装置を破損させる問題が残る。この場合には、新たに撮影が行われることになり被検体の被爆量が増えることになる。
【００１０】
本発明は、上記問題点を解決するためになされたもので、スリップリングとブラシとの摩擦により生じる磨耗粉の影響を低減することができるＸ線ＣＴ装置を提供することを目的とする。
【課題を解決するための手段】
【００１１】
上記問題を解決するために、請求項１に係る本発明のＸ線ＣＴ装置は、被検体に対してＸ線を照射するＸ線発生手段と、前記被検体を透過したＸ線を検出するＸ線検出手段と、前記Ｘ線検出手段からのＸ線投影データに基づいて画像データを生成する画像データ生成手段と、前記Ｘ線発生部への電力の伝送及び／又は前記Ｘ線検出手段から前記画像データ生成手段への前記Ｘ線投影データの伝送を行うための環状のスリップリングと、前記Ｘ線発生手段、及び前記Ｘ線検出手段を回転可能に保持する回転部フレームと、前記回転フレームに保持された前記スリップリングの下端部から前記回転部フレームの回転方向とは反対方向へ９０°の回転角の第１の範囲及び前記下端部から前記回転方向へ１３５°未満の回転角の第２の範囲以外の２つ以上の位置に配置した前記スリップリングと接触するブラシと、前記回転部フレームを保持する固定部とを備えたことを特徴とする。
【００１２】
また、請求項２に係る本発明のＸ線ＣＴ装置は、被検体に対してＸ線を照射するＸ線発生手段と、前記被検体を透過したＸ線を検出するＸ線検出手段と、前記Ｘ線検出手段からのＸ線投影データに基づいて画像データを生成する画像データ生成手段と、前記Ｘ線発生手段への電力の伝送及び／又は前記Ｘ検出手段から前記画像データ生成手段への前記Ｘ線投影データの伝送を行うための環状のスリップリングと、前記Ｘ線発生手段、及び前記Ｘ線検出手段を回転可能に保持する回転部フレームと、前記回転部フレームに保持された前記スリップリングの下端部から前記回転部フレームの回転方向へ１３５°未満の回転角の範囲以外の２つ以上の位置に配置した前記スリップリングと接触するブラシと、前記回転部フレームを保持する固定部とを備えたことを特徴とする。
【００１３】
更に、請求項３に係る本発明のＸ線ＣＴ装置は、被検体に対してＸ線を照射するＸ線発生手段と、前記被検体を透過したＸ線を検出するＸ線検出手段と、前記Ｘ線検出手段からのＸ線投影データに基づいて画像データを生成する画像データ生成手段と、前記Ｘ線発生部への電力の伝送及び／又は前記Ｘ線検出手段から前記画像データ生成手段への前記Ｘ線投影データの伝送を行うための環状のスリップリングと、前記Ｘ線発生手段、及び前記Ｘ線検出手段を回転可能に保持する回転部フレームと、前記回転フレームに保持された前記スリップリングの下半分の範囲以外の２つ以上の位置に配置した前記スリップリングと接触するブラシと、前記回転部フレームを保持する固定部とを備えたことを特徴とする。
【発明の効果】
【００１４】
本発明によれば、ブラシ及びブラシホルダを磨耗粉の影響が少ない位置に配置することにより、定期点検の間隔を広げて清掃作業の時間を低減することができる。
【発明を実施するための最良の形態】
【００１５】
以下、本発明の実施例を、図面を参照して説明する。
【実施例】
【００１６】
本発明によるＸ線ＣＴ装置の実施例を、図１乃至図５を参照して説明する。
【００１７】
図１は、本発明の実施例に係るＸ線ＣＴ装置の構成を示したブロック図である。このＸ線ＣＴ装置１００は、被検体Ｐを載置する寝台７と、被検体ＰのＸ線撮影によりＸ線投影データを生成する架台部１と、この架台部１におけるＸ線照射に必要な電力を供給する電源部２と、架台部１から出力されたＸ線投影データから２次元や３次元の画像データを生成する画像データ生成部３と、画像データ生成部３から出力された画像データを表示する表示部４と、被検体Ｐの被検体情報、撮影条件などの設定や入力、種々のコマンドの入力を行なう操作部５と、架台部１、電源部２、画像データ生成部３、及び表示部４を統括して制御するシステム制御部６とを備えている。
【００１８】
架台部１は、寝台７上の被検体Ｐが挿入されるほぼ円筒状の開口部３０と、開口部３０の外周に配置され、被検体Ｐの体軸をほぼ回転軸として矢印Ｒ１方向に回転する回転部１０と、この回転部１０を支持する固定部２０とを備えている。
【００１９】
回転部１０は、開口部３０に配置された被検体ＰにＸ線を照射するＸ線発生部１１と、被検体Ｐを介してＸ線発生部１１に対向して配置され、被検体Ｐを透過したＸ線を検出してＸ線投影データを生成するＸ線検出部１２と、Ｘ線検出部１２から出力されたＸ線投影データを収集するデータ収集部１３と、データ収集部１３で収集されたＸ線投影データを画像データ生成部３に伝送するデータ伝送部１４の送信部と、Ｘ線発生部１１と電気的に接続されたスリップリング部１５と、Ｘ線発生部１１、Ｘ線検出部１２、データ収集部１３、データ伝送部１４の送信部、及びスリップリング部１５が取り付けられた回転部フレーム１６とを備えている。
【００２０】
Ｘ線発生部１１は、Ｘ線を発生するＸ線管１１ａと、Ｘ線管１１ａに高電圧を供給する高電圧発生器１１ｂとを備えている。Ｘ線管１１ａは、回転部１０の回転中心軸に平行なスライス（列）方向及びこのスライス方向に直交するチャンネル（行）方向に広がるＸ線ビームを形成して、体軸が回転部１０の回転中心軸にほぼ一致するように配置された被検体ＰにＸ線を照射する。
【００２１】
高電圧発生器１１ｂは、電源部２から電力を受給してスリップリング部１５を介してＸ線管１１ａに供給するための高電圧を発生する。なお、高電圧発生器１１ｂを架台部１の外部に配置してもよい。
【００２２】
Ｘ線検出部１２は、スライス方向及びチャンネル方向にマトリックス状に配列された図示しないＸ線検出素子を有する。Ｘ線発生部１１からのＸ線照射により、被検体Ｐを透過したＸ線を検出した後、スライス方向の列毎に加算して２次元のＸ線投影データを生成する。Ｘ線検出部１２におけるＸ線の検出は、回転部１０の所定角度回転毎に行われ、例えば１回転／秒の間に１０００回繰り返された場合、Ｘ線投影データが１０００回／秒発生してデータ収集部１３に出力されることになる。
【００２３】
データ収集部１３は、Ｘ線検出部１２のＸ線検出素子におけるスライス方向及びチャンネル方向の各Ｘ線検出素子に対応したデータ収集素子を有し、Ｘ線検出部１２から出力されたＸ線投影データをＸ線検出素子毎に増幅、Ａ／Ｄ変換などの処理をして被検体ＰのＸ線投影データを収集する。
【００２４】
データ伝送部１４は、例えば光通信手段により送受信するための送信部及び受信部を有し、送信部が回転部１０に設けられており、データ収集部１３からのＸ線投影データを送信部から固定部２０に設けられた受信部に伝送する。なお、回転部１０と固定部２０の間のデータ伝送をスリップリング部１５を介して行うようにしてもよい。
【００２５】
回転部フレーム１６には、Ｘ線発生部１１、Ｘ線検出部１２、データ収集部１３、データ伝送部１４の送信部、及びスリップリング部１５が取り付けられ、回転可能に固定部２０に保持されている。
【００２６】
固定部２０は、電源部２からの電力をスリップリング１５部を介してＸ線発生部１１に供給するための２つのブラシ部２１ａ，２１ｂと、各ブラシ部２１ａ，２１ｂを保持する２つのブラシホルダ２２ａ，２２ｂと、データ伝送部１４の受信部と、回転部１０を回転させる回転機構制御部２３とを備えている。なお、３つ以上のブラシ部及び各ブラシ部を保持するブラシホルダを設けるようにしてもよい。
【００２７】
ブラシ部２１ａ，２１ｂは、電源部２に接続されており、スリップリング部１５と接触して、電源部２からの電力をスリップリング部１５に伝送する。ブラシホルダ２２ａ，２２ｂは、固定部２０に固定され、ブラシ部２１ａ，２１ｂを保持すると共に、スリップリング部１５にブラシ部２１ａ，２１ｂを押し付けて接触させる。なお、ブラシ部２１ａ，２１ｂ及びブラシホルダ２２ａ，２２ｂは、Ｘ線発生部１１の消費電力に応じて増減するようにしてもよい。
【００２８】
データ伝送部１４の受信部は、送信部からのＸ線投影データを画像データ生成部３に出力する。回転機構制御部２３は、回転部１０を回転させる機構と、この機構を制御する制御回路とを備えている。
【００２９】
電源部２は、架台部１のＸ線発生部１１に電力を供給するために設けられている。
【００３０】
画像データ生成部３は、架台部１のデータ収集部１３からデータ伝送部１４を介して出力されるＸ線投影データを保存する記憶部３１と、記憶部３１に保存されたＸ線投影データを再構して２次元や３次元の画像データを生成する再構成部３２とを備えている。
【００３１】
記憶部３１は、架台部１のデータ収集部１３からデータ伝送部１４を介して出力されたＸ線投影データを一旦保存した後、再構成部３２に出力する。また、再構成部３２から出力された２次元や３次元データを保存する。
【００３２】
再構成部３２は、被検体Ｐの所望の位置における回転部１０の回転により生成された架台部１からのＸ線投影データを再構成して２次元や３次元の画像を生成して表示部４に出力する。
【００３３】
表示部４は、液晶パネルやＣＲＴなどのモニタを備え、画像データ生成部３から出力された２次元や３次元画像データを表示する。
【００３４】
操作部５は、キーボード、トラックボール、ジョイスティック、マウスなどの入力デバイスや表示パネル、更には各種スイッチなどを備えたインターラクティブなインターフェースであり、被検体ＰのＩＤ、氏名などの被検体情報や、撮影体位、撮影対象部位（対象臓器）などの各種撮影条件の設定や各種コマンドの入力を行なう。
【００３５】
システム制御部６は、図示しないＣＰＵと記憶回路を備え、操作部５から供給される操作者のコマンド信号、撮影条件などの情報を一旦記憶した後、これらの情報に基づいたＸ線投影データの生成、２次元や３次元画像データの生成と表示、各機構に関する制御などシステム全体の制御を行う。
【００３６】
次に、図２乃至図４を参照して、架台部１の回転部１０のスリップリング部１５と、固定部２０のブラシ部２１ａ，２１ｂ及びブラシホルダ２２ａ，２２ｂの構成の詳細を説明する。
【００３７】
図２は、スリップリング部１５、ブラシ部２１ａ，２１ｂ、及びブラシホルダ２２ａ，２２ｂのＸ−Ｘ断面を示した図である。
【００３８】
スリップリング部１５は、電源部２の例えば３相交流電源からの給電を受ける場合、３相及び電源グランドの４つのチャンネル１〜４ｃｈに対応した４つの高導電性のスリップリング１５ａ，１５ｂ，１５ｃ，１５ｄと、各スリップリング１５ａ，１５ｂ，１５ｃ，１５ｄを支持している高絶縁性の支持体１５ｅと、各スリップリング１５ａ，１５ｂ，１５ｃ，１５ｄとＸ線発生部１１の高電圧発生器１１ｂとを電気的に接続する４つのケーブルの端子１５ｆ，１５ｇ，１５ｈ，１５ｉとにより構成される。
【００３９】
各スリップリング１５ａ，１５ｂ，１５ｃ，１５ｄは、図３に示すように同径の環状形をなしており、夫々並列に離間して配置されている。そして、支持体１５ｅにより各スリップリング１５ａ，１５ｂ，１５ｃ，１５ｄの内周部が支持体１５ｅにより支持されている。
【００４０】
ブラシ部２１ａは、スリップリング部１５の外側に配置され、スリップリング部１５の各スリップリング１５ａ，１５ｂ，１５ｃ，１５ｄの外周面と接触する高導電性の各ブラシ２１ａａ，２１ａｂ，２１ａｃ，２１ａｄと、各ブラシ２１ａａ，２１ａｂ，２１ａｃ，２１ａｄと電源部２とを電気的に接続する４つのケーブルの端子２１ａｆ，２１ａｇ，２１ａｈ，２１ａｉとにより構成される。
【００４１】
ブラシ部２１ｂは、ブラシ部２１ａと同様に、４つの各ブラシ２１ｂａ，２１ｂｂ，２１ｂｃ，２１ｂｄと、４つのケーブルの端子２１ｂｆ，２１ｂｇ，２１ｂｈ，２１ｂｉとにより構成される。
【００４２】
ブラシホルダ２２ａは、スリップリング部１５の外側に配置され、各スリップリング１５ａ，１５ｂ，１５ｃ，１５ｄに対して前後方向に移動可能なように各ブラシ２１ａａ，２１ａｂ，２１ａｃ，２１ａｄを保持する高絶縁性の本体２２ａｅと、各ブラシ２１ａａ，２１ａｂ，２１ａｃ，２１ａｄを各スリップリング１５ａ，１５ｂ，１５ｃ，１５ｄの方向へ押し付けて各スリップリング１５ａ，１５ｂ，１５ｃ，１５ｄに当接させるための４つのばね２２ａａ，２２ａｂ，２２ａｃ，２２ａｄとにより構成される。
【００４３】
ブラシホルダ２２ｂは、ブラシホルダ２２ａと同様に、本体２２ｂｅと、４つのばね２２ｂａ，２２ｂｂ，２２ｂｃ，２２ｂｄとにより構成される。
【００４４】
なお、ブラシ部２１ａ、２１ｂをスリップリング１５の外側に配置したが両者の相対位置を逆にしてもよい。また、図４に示すように各スリップリング１５ａ，１５ｂ，１５ｃ，１５ｄの直径を変更して同心円状に配置し、同心円状に配置した各スリップリング１５ａ，１５ｂ，１５ｃ，１５ｄの一側部を支持体１５ｅで支持し、各ブラシ部２１ａ，２１ｂ及びブラシホルダ２２ａ，２２ｂを他側に配置し、各ブラシ２１ａａ，２１ａｂ，２１ａｃ，２１ａｄ及び各ブラシ２１ｂａ，２１ｂｂ，２１ｂｃ，２１ｂｄを各スリップリング１５ａ，１５ｂ，１５ｃ，１５ｄの他側部と接触させるようにしてもよい。
【００４５】
スリップリング部１５、ブラシ部２１ａ，２１ｂ、及びブラシホルダ２２ａ，２２ｂでは、各スリップリング１５ａ，１５ｂ，１５ｃ，１５ｄと各ブラシ２１ａａ，２１ａｂ，２１ａｃ，２１ａｄ及び各ブラシ２１ｂａ，２１ｂｂ，２１ｂｃ，２１ｂｄとの接触面の摩擦により磨耗粉が生じる。
【００４６】
この磨耗粉がスリップリング部１５、ブラシ部２１ａ，２１ｂ、及びブラシホルダ２２ａ，２２ｂから飛散しないように、スリップリング部１５、ブラシ部２１ａ，２１ｂ、及びブラシホルダ２２ａ，２２ｂの両側面及びスリップリング部１５の外周部全体を覆うカバー２４が設けられている。
【００４７】
図５は、ブラシ部２１ａ，２１ｂ及びブラシホルダ２２ａ，２２ｂの取り付け位置を説明するための図である。
【００４８】
架台部１の回転部１０の回転によるスリップリング部１５の各スリップリング１５ａ，１５ｂ，１５ｃ，１５ｄと、ブラシ部２１ａ，２１ｂの各ブラシ２１ａａ，２１ａｂ，２１ａｃ，２１ａｄ及び各ブラシ２１ｂａ，２１ｂｂ，２１ｂｃ，２１ｂｄとの摩擦により微小の磨耗粉が生じる。
【００４９】
この磨耗粉は、回転部１０の停止中にはスリップリング部１５の下半分、即ちスリップリング部１５の下端部から回転部１０の回転方向である矢印Ｒ１方向とは反対方向へ９０°の回転角の範囲Ａ、及びスリップリング部１５の下端部から回転部１０のＲ１方向へ９０°の回転角の範囲Ｂのカバー２４内側に沈着する。また、撮影中には回転部１０のＲ１方向への回転で生じる空気流によりスリップリング部１５とカバー２４との空隙を飛散する。
【００５０】
そして、Ｘ線ＣＴ装置１００による撮影で生じた多くの磨耗粉の内のカバー２４の内側の範囲Ａに沈着し堆積した磨耗粉は、回転部１０のＲ１方向への回転による空気流で範囲Ｂの方向に空隙を飛散し、範囲Ｂの磨耗粉は上方の磨耗粉の重力と釣り合う位置、即ち範囲Ｂの上端部からＲ１方向へ９０°未満の回転角の範囲Ｃ（０°＜Ｃ＜９０°）の空隙を飛散するようになる。
【００５１】
この磨耗粉がスリップリング部１５と各ブラシ部２１ａ，２１ｂ及び各ブラシホルダ２２ａ，２２ｂの図２に示した間隙に入って各チャンネル１〜４ｃｈ間の絶縁抵抗が低下するのを防ぐために、ブラシ部２１ａ，２１ｂ及びブラシホルダ２２ａ，２２ｂを、範囲Ｂ，Ｃ以外の位置に配置する。なお、この範囲Ｃは、空気流を生じさせる回転部１０の回転半径、回転速度、スリップリング部１５及びカバー２４の内側の形状などによって定まる。Ｘ線ＣＴ装置１００による実験では、範囲Ｃの回転角は４５°であった。
【００５２】
また、Ｘ線ＣＴ装置１００による度重なる撮影で生じた更に多くの磨耗粉は、回転部１０の停止中にカバー２４の内側の範囲Ａ，Ｂの空隙に堆積し、その堆積した磨耗粉に触れてスリップリング部１５の各チャンネル１〜４ｃｈ間の絶縁抵抗が低下するのを防ぐために、ブラシ部２１ａ，２１ｂ及びブラシホルダ２２ａ，２２ｂを範囲Ａ，Ｂ以外の位置に配置する。
【００５３】
このように、回転部１０の回転及び停止による磨耗粉の影響を低減するために、ブラシ部２１ａ，２１ｂ及びブラスホルダ２２ａ，２２ｂは、範囲Ａ，Ｂ，Ｃ以外の位置に配置される。
【００５４】
以上述べた本発明の実施例によれば、範囲Ｂ，Ｃ以外のスリップリング部の位置にブラシ部及びブラシホルダを配置することにより、度重なる撮影で生じた多くの磨耗粉の回転部の回転による飛散で、スリップリング部又はブラシ部の各チャンネル間の絶縁抵抗が低下するのを防ぐことができる。
【００５５】
また、範囲Ａ，Ｂ以外のスリップリング部の位置にブラシ部及びブラシホルダを配置することにより、度重なる撮影で生じた更に多くの磨耗粉が回転部の停止中にカバー内側に堆積し、その堆積した磨耗粉に触れてスリップリング部の各チャンネル間の絶縁抵抗が低下するのを防ぐことができる。
【００５６】
更に、範囲Ａ，Ｂ，Ｃ以外のスリップリング部の位置にブラシ部及びブラシホルダを配置することにより、回転部の回転及び停止による磨耗粉の影響を低減することができる。
【００５７】
これにより、定期的に行われる清掃作業の間隔を広げることができるので、作業時間と手間を低減することができる。また、装置の信頼性を向上させることができるので、被験者への被爆量を低減することができる。
【図面の簡単な説明】
【００５８】
【図１】本発明の実施例に係るＸ線ＣＴ装置の実施例の構成を示すブロック図。
【図２】本発明の実施例に係るスリップリング部、ブラシ部、ブラシホルダの構成の詳細を示す図。
【図３】本発明の実施例に係るスリップリングの配置を示す図。
【図４】本発明の実施例に係るスリップリングの配置の変形例を示す図。
【図５】本発明の実施例に係るブラシ部及びブラシホルダの配置を示す図。
【符号の説明】
【００５９】
Ｐ  被検体
１  架台部
２  電源部
３  画像データ生成部
４  表示部
５  操作部
６  システム制御部
７  寝台部
１０  回転部
１１  Ｘ線発生部
１１ａ  Ｘ線管
１１ｂ  高電圧発生部
１２  Ｘ線検出部
１３  データ収集部
１４  データ伝送部
１５  スリップリング部
１６  回転部フレーム
２０  固定部
２１ａ，２１ｂ  ブラシ部
２２ａ，２２ｂ  ブラシホルダ
２３  回転機構制御部
１００  Ｘ線ＣＴ装置
【図１】
2007222293.tif 000003
【図２】
2007222293.tif 000004
【図３】
2007222293.tif 000005
【図４】
2007222293.tif 000006
【図５】
2007222293.tif 000007